(57)【要約】      （修正有）【課題】ゲルマニウム含有ヘルスケアマスクを提供する。【解決手段】外層１０と外層内側にある内層２０、 及び内、外層の間を隔てるのに設けられる中間層３０を備えてなり、ゲルマニウム含有ヘルスケアマスクＡの両側には使用者の頭部に装着するための装着部、中間層内には更に間隔を開けて設けられた複数のゲルマニウム含有部６０があり、該ゲルマニウム含有部はどれも、決まった位置に設けられ、該ゲルマニウム含有部は、ゲルマニウム成分が含まれているゲルマニウム含有ヘルスケアマスクは、アイマスクまたはフェイスマスク形態に設けられ、中間層にあるゲルマニウム含有部は常温下で、マイナスイオンが放出され、使用者の顔部の皮膚に浸透し、皮膚のプラスイオンが中和され、血行をよくし、ツボを刺激して、更にフェイスラインを引き締め、小じわなどを減らし、痛みなどを緩和してくれるという実用性、進歩性がある。【選択図】図４
0003209921.tif 000002
【実用新案登録請求の範囲】
【請求項１】
外層と該外層内側にある内層、及び該外層と内層の間を隔てるのに設けられる中間層を備えてなり、ゲルマニウム含有ヘルスケアマスクの両側には更に装着部、該中間層内には更に間隔を開けて設けられた複数のゲルマニウム含有部があり、各該ゲルマニウム含有部はどれも、決まった位置に設けられ、該ゲルマニウム含有部とは、ゲルマニウム成分が含まれていることを特徴とするゲルマニウム含有ヘルスケアマスク。
【請求項２】
該中間層内には間隔を開け、ミシン縫い糸で縫い合わせられた複数の位置決め収容部が設けられ、該ゲルマニウム含有部をそれぞれ、異なる位置決め収容部に収めるように設けていることを特徴とする請求項１に記載のゲルマニウム含有ヘルスケアマスク。
【請求項３】
アイマスク形態に設けられ、そして、少なくともの一眼開口部が設けられることを特徴とする請求項２に記載のゲルマニウム含有ヘルスケアマスク。
【請求項４】
フェイスマスク形態に設けられ、そして、少なくともの一鼻開口部が設けられ、該フェイスマスク形態のゲルマニウム含有ヘルスケアマスクの両側には更に、取外可能なゲルマニウム含有バンドがあり、該取外可能なゲルマニウム含有バンド内には、間隔を開けて、複数のゲルマニウム含有部が設けられていることを特徴とする請求項２に記載のゲルマニウム含有ヘルスケアマスク。
【請求項５】
該ゲルマニウム含有部は、シート、ブロック、リング、 ストラップまたは網状体の何れかの一形態に設けられていることを特徴とする請求項３または４に記載のゲルマニウム含有ヘルスケアマスク。
【考案の詳細な説明】
【技術分野】
【０００１】
本考案は、人の目やフェイスに適用するマスク構造に関わり、特に、その構造に更にゲルマニウム含有部が設けられるオリジナルなマスク形態に関する。
【背景技術】
【０００２】
フェイスケアを重要視する現代人にとって、どうやってフェイスラインを引き締め、小じわなどを減らして、若い顔を保つに人々が関心を持ち、重視する重要な課題である。
【０００３】
上述した問題について、様々なフェイスケア関連商品が市場に溢れているが、それらの方法で確かな効果を得るのにかかる費用は相当なものになり、一般使用者に普及できないのである。
【０００４】
一回の費用で、実用性や経済性に優れたフェイスケアやアイケアを長期間にわたって、有効に行われる商品を開発するのが、多くの使用者が望むことである。
【０００５】
それゆえ、より理想的で実用性のある、オリジナルな目やフェイスの手入れ・ヘルスケア製品の構造を開発するのが、関連業界が努力して開発すべき目標と方向でもあり、それを鑑みて、考案者は関連製品の製造開発と設計に携わる長年の経験を持って、上述した目標について、詳しく設計、慎重に評価したうえ、ようやく実用性のある本考案を得られたわけである。
【考案の概要】
【考案が解決しようとする課題】
【０００６】
本考案は、ゲルマニウム含有ヘルスケアマスクを提供することを目的とし、解決しようとする技術課題は、より理想的で実用性のあるオリジナルなヘルスケアマスク構造形態を開発することにある。
【課題を解決するための手段】
【０００７】
本考案の課題を解決しようとする技術特徴として、外層と該外層内側にある内層、
及び該外層と内層の間を隔てるのに設けられる中間層を備えてなり、該ゲルマニウム含有ヘルスケアマスクの両側には更に、使用者の頭部に装着するための装着部、該中間層内には更に間隔を開けて設けられた複数のゲルマニウム含有部があり、該ゲルマニウム含有部はどれも、決まった位置に設けられ、該ゲルマニウム含有部とは、ゲルマニウム成分が含まれていることを特徴とする該ゲルマニウム含有ヘルスケアマスク。
【０００８】
このようなオリジナルな設計による本考案では背景技術に対して、該ゲルマニウム含有ヘルスケアマスクは、アイマスクまたはフェイスマスク形態に設けられ、中間層にあるゲルマニウム含有部は常温下で、マイナスイオンが放出され、使用者の顔部の皮膚に浸透し、皮膚のプラスイオンが中和され、血行をよくし、ツボを刺激して、更にフェイスラインを引き締め、小じわなどを減らし、痛みなどを緩和してくれるという実用性、進歩性がある。
【考案の効果】
【０００９】
本考案に掲示された「ゲルマニウム含有ヘルスケアマスク」では、該中間層内に更に間隔を開けて設けられた複數のゲルマニウム含有部が設けられるというオリジナルな構造形態を技術特徴とし、本考案は背景技術に述べられた従来の構造に対して、該ゲルマニウム含有ヘルスケアマスクは応用の時、アイマスクまたはフェイスマスク形態に設けられ(図１、図６)、中間層にあるゲルマニウム含有部は常温下で、マイナスイオンが放出され、使用者の顔部の皮膚に浸透し、皮膚のプラスイオンが中和され、血行をよくし、ツボを刺激して、更にフェイスラインを引き締め、小じわなどを減らし、痛みなどを緩和してくれるという実用性、進歩性がある。
【図面の簡単な説明】
【００１０】
【図１】本考案構造の好適な実施例の立体外観図。
【図２】本考案構造の好適な実施例におけるゲルマニウム含有部の配置に関する平面イメージ。
【図３】本考案構造の好適な実施例の平面正面図。
【図４】図３のｂ‐ｂ断面図。
【図５】本考案のゲルマニウム含有ヘルスケアマスクの好適な実施例を使用者の頭部に装着したときの実施例図。
【図６】本考案のゲルマニウム含有ヘルスケアマスクがフェイスマスク形態に設けられた実施例の立体図。
【図７】図６に掲示された実施例のゲルマニウム含有部の配置に関する平面イメージ。
【図８】図６に掲示された実施例のゲルマニウム含有ヘルスケアマスクを使用者の頭部に装着したときの実施例図。
【考案を実施するための形態】
【００１１】
図１〜図５に示すのは、本考案のゲルマニウム含有ヘルスケアマスクの好適な実施例であり、これらの実施例は説明のみに用いられ、特許請求の際、それらの構造に制限されないものとする。外層１０と該外層１０内側にある内層２０、及び該外層１０と内層２０の間を隔てるのに設けられる中間層３０を備えてなり、該ゲルマニウム含有ヘルスケアマスクＡの両側には更に、使用者５０の頭部に装着するための装着部４０(図５)、該中間層３０の中には更に間隔を開けて設けられた複数のゲルマニウム含有部６０があり、該ゲルマニウム含有部６０はどれも、決まった位置に設けられ、該ゲルマニウム含有部６０とは、ゲルマニウム成分が含まれていることを特徴とする該ゲルマニウム含有ヘルスケアマスクＡ。
【００１２】
図４に示すように、該中間層３０は間隔を開けて、ミシン縫い糸３１で縫い合わせられた複数の位置決め収容部３２が設けられ、該ゲルマニウム含有部６０をそれぞれ、異なる位置決め収容部３２に収めるように設けられており、該ゲルマニウム含有部６０が決まった位置に設けられる好適な実施形態は、それに限らず、例えば、ホットメルト接着による位置決めに設けられるが、それは一番理想的ではないが、実施可能な位置決め形態の一つである。
【００１３】
図１、図３に示すように、該ゲルマニウム含有ヘルスケアマスクＡはアイマスク形態に設けられ、そして、少なくともの一眼開口部７０が設けられる。
【００１４】
図６、図７に示すように、該ゲルマニウム含有ヘルスケアマスクＡ２はフェイスマスクにも設けられ、そして、少なくともの一鼻開口部８０が設けられる。
【００１５】
上述した構造、組合せや設計により、本考案に掲示されたゲルマニウム含有ヘルスケアマスクＡ、Ａ２は応用の時、使用者５０の頭部に装着され、外観としては、アイマスク形態(図１)またはフェイスマスク形態(図６)に設けられるが、本考案に掲示されたゲルマニウム含有ヘルスケアマスクＡ、Ａ２は、中間層３０にある該ゲルマニウム含有部６０の技術特徴を利用して、訴求効果を得ることができること、本考案の効果を言う場合、「ゲルマニウム」という元素について更に詳しく説明すべきだが、ゲルマニウムは、金属と非金属を持つ半導体の元素であり、特に強大な外力、例えば、光や電気などのようなエネルギーからの影響がなくても、常温下(約３２度以上)だけで、マイナスイオンが放出されるという性質を持っており、接触する電気製品が多いため、人体は電磁波からのプラス電気を持つ水素イオンを多く吸収してしまい、血中の水素イオンで、体質が酸性になる傾向があり、それが痛みなどの症状を起こす要因の一つであり、プラス電気を持つ水素イオンは最も、ゲルマニウムに吸収しやすく、水素イオンが血中にあると、直ちに吸収されることから、血液が酸性に傾いても中和され、徐々に正常値に戻ること、ゲルマニウムに吸収された水素イオンは２０〜３０時間内に、尿や汗となり、体外へ排出されるが、ゲルマニウムの長所と言えば、ゲルマニウムから放出されたマイナスイオンが皮膚を介して、体内に浸透しプラスイオンを中和して、痛み緩和、生物的電流調整という効果を有するイオン浸透効果、ゲルマニウムで、患部周辺の温度が０.５〜１℃上昇し、血行促進効果を有するという局所加温効果、それに患部のツボを押して、筋肉痛などへの痛みが緩和されるというツボマッサージ効果があることが科学界によって証明された。
【００１６】
上述したゲルマニウムの長所や効果により、本考案に掲示されたゲルマニウム含有ヘルスケアマスクＡ、Ａ２は、ゲルマニウムを完璧に、アイマスクやフェイスマスクの構造に応用されたというオリジナルな技術特徴が、眼部や顔面の手入れを重要視する使用者にとって、大変よい知らせになること、電磁波からプラス電気を持つ水素イオンが顔の皮膚に多く吸収され、血行が悪くなり、ツボが塞いだりするのが原因で、顔のたるみや、小じわなどに悩んでいる人があり、そのような症状のある人は、本考案を装着すれば、症状が緩和されるが、中間層３０内に間隔を開けて設けられたゲルマニウム含有部６０によって、長時間にわたって使用者の皮膚を、血行促進やツボマッサージ(たとえば、眼部周囲に、目の健康に関わる多くのツボ)などを行い、使用者５０がそれを長時間装着して、フェイスラインを引き締め、小じわなどを減らせるという効果にもつながることで、需要者にとってはもちろん、よい選択である。
【００１７】
上述したようなフェイスラインの引き締め、小じわなどの減少のほかに、ゲルマニウムは、痛み緩和(頭痛、目の痛みを含み)、加温・保温などの長所や効果もあり、それらは全て、本考案に掲示されたゲルマニウム含有ヘルスケアマスクＡ、Ａ２が有する長所と効果である。
【００１８】
該ゲルマニウム含有部６０は、シート(図２、図４)、ブロック、リング、ストラップまたは網状体の何れかの一形態に設けられる。
【００１９】
図６に示すように、該フェイスマスク形態のゲルマニウム含有ヘルスケアマスクＡ２の両側には更に、取外可能なゲルマニウム含有バンド９０があり、該取外可能なゲルマニウム含有バンド９０内には、間隔を開けて、複数のゲルマニウム含有部６０が設けられており、本実施例に掲示された取外可能なゲルマニウム含有バンド９０は使用の時、図８に示すように、使用者５０の首後方に貼り付けるように設けられ、ゲルマニウムによる痛みの緩和というメリットを利用して、首部の痛みを緩和する効果が期待できる。
【符号の説明】
【００２０】
ゲルマニウム含有ヘルスケアマスク    Ａ、Ａ２
外層    １０
内層    ２０
中間層    ３０
ミシン縫い糸    ３１
位置決め収容部    ３２
装着部    ４０
使用者    ５０
ゲルマニウム含有部    ６０
眼開口部    ７０
鼻開口部    ８０
取外可能なゲルマニウム含有バンド    ９０
【図１】
0003209921.tif 000003
【図２】
0003209921.tif 000004
【図３】
0003209921.tif 000005
【図４】
0003209921.tif 000006
【図５】
0003209921.tif 000007
【図６】
0003209921.tif 000008
【図７】
0003209921.tif 000009
【図８】
0003209921.tif 000010